【手続補正書】
【提出日】平成21年9月25日(2009.9.25)
【手続補正１】
【補正対象書類名】明細書
【補正対象項目名】発明の名称
【補正方法】変更
【補正の内容】
【発明の名称】発光素子、発光素子材料及びイリジウム錯体、並びに発光層
【手続補正２】
【補正対象書類名】明細書
【補正対象項目名】０００１
【補正方法】変更
【補正の内容】
【０００１】
本発明は、新規なイリジウム錯体、発光素子材料、およびこれを利用した発光素子、並びに発光層に関し、特に詳細には、表示素子、ディスプレイ、バックライト、電子写真、照明光源、記録光源、露光光源、読み取り光源、標識、看板、インテリア、光通信等の分野に好適に使用可能な新規なイリジウム錯体、発光素子材料、およびこれを利用した発光素子、並びに発光層に関する。
【手続補正３】
【補正対象書類名】明細書
【補正対象項目名】０００６
【補正方法】変更
【補正の内容】
【０００６】
本発明は、前記諸問題に鑑みなされたものであって、発光時の消費エネルギーを軽減できるとともに、高輝度の青色発光を長時間発光可能な発光特性に優れた発光素子を提供することを課題とする。また、本発明は、長期間にわたって高輝度の青色発光を示す発光特性に優れたイリジウム錯体、発光素子材料、およびこれを利用した発光素子、並びに発光層を提供することを課題とする。
【手続補正４】
【補正対象書類名】明細書
【補正対象項目名】０００７
【補正方法】変更
【補正の内容】
【０００７】
前記課題を解決するための手段は以下の通りである。
＜１＞  一対の電極間に、発光層もしくは発光層を含む複数の有機化合物層を有する発光素子において、これらの層の少なくとも一層に、下記一般式Ｋ−０で表される部分構造を有する化合物（但し、下記に示す化合物（Ａ）、（Ｂ）、（Ｃ）、（Ｄ）、及び（Ｅ）は除く。）を少なくとも一種含むことを特徴とする発光素子である。
【化１】
2009246373.tif 000001
（一般式Ｋ−０中、Ｒ1〜Ｒ7は各々独立に、水素原子または置換基を表す。但し、Ｒ2がフッ素原子の場合は、Ｒ3は水素原子であることはない。）
【化２】
2009246373.tif 000002
＜２＞  前記一般式Ｋ−０において、Ｒ4が水素原子又は無置換のアルキル基を表し、Ｒ6が水素原子又は無置換のアルキル基を表し、Ｒ7が水素原子を表す（但し、Ｒ4〜Ｒ7の全てが水素原子となることはない。）ことを特徴とする前記＜１＞に記載の発光素子である。
＜３＞  前記Ｒ4が、炭素数１〜１０の無置換のアルキル基を表すことを特徴とする前記＜１＞又は＜２＞に記載の発光素子である。
＜４＞  前記Ｒ4で表される炭素数１〜１０の無置換のアルキル基が、メチル基であることを特徴とする前記＜３＞に記載の発光素子である。
＜５＞  前記Ｒ6が、炭素数１〜１０の無置換のアルキル基を表すことを特徴とする＜１＞又は＜２＞に記載の発光素子である。
＜６＞  前記Ｒ6で表される炭素数１〜１０の無置換のアルキル基が、メチル基であることを特徴とする前記＜５＞に記載の発光素子である。
【手続補正５】
【補正対象書類名】明細書
【補正対象項目名】０００８
【補正方法】変更
【補正の内容】
【０００８】
＜７＞  前記一般式Ｋ−０で表される部分構造を有する化合物が、下記一般式Ｋ−Ｉで表される部分構造を有する化合物である前記＜１＞に記載の発光素子である。
【化３】
2009246373.tif 000003
（一般式Ｋ−Ｉ中、Ｒ11〜Ｒ16は各々独立に、水素原子または置換基を表す。）
＜８＞  前記一般式Ｋ−Ｉにおいて、Ｒ13が水素原子又は無置換のアルキル基を表し、Ｒ15が水素原子又は無置換のアルキル基を表し、Ｒ16が水素原子を表す（但し、Ｒ13〜Ｒ16の全てが水素原子となることはない。）ことを特徴とする前記＜７＞に記載の発光素子である。
＜９＞  前記Ｒ13が、炭素数１〜１０の無置換のアルキル基を表すことを特徴とする前記＜７＞又は＜８＞に記載の発光素子である。
＜１０＞  前記Ｒ13で表される炭素数１〜１０の無置換のアルキル基が、メチル基であることを特徴とする前記＜９＞に記載の発光素子である。
＜１１＞  前記Ｒ15が、炭素数１〜１０の無置換のアルキル基を表すことを特徴とする前記＜７＞又は＜８＞に記載の発光素子である。
＜１２＞  前記Ｒ15表される炭素数１〜１０の無置換のアルキル基が、メチル基であることを特徴とする前記＜１１＞に記載の発光素子である。
【手続補正６】
【補正対象書類名】明細書
【補正対象項目名】０００９
【補正方法】変更
【補正の内容】
【０００９】
＜１３＞  前記一般式Ｋ−Ｉで表される部分構造を有する化合物が、下記一般式Ｋ−IIで表されるイリジウム錯体である前記＜７＞に記載の発光素子である。
【化４】
2009246373.tif 000004
（一般式Ｋ−II中、Ｒ21〜Ｒ26は各々独立に、水素原子または置換基を表す。Ｌ21は配位子を表す。ｎ21は１〜３の整数を表し、ｎ22は０〜４の整数を表す。）
＜１４＞  前記一般式Ｋ−IIにおいて、Ｒ23が水素原子又は無置換のアルキル基を表し、Ｒ25が水素原子又は無置換のアルキル基を表し、Ｒ26が水素原子を表す（但し、Ｒ23〜Ｒ26の全てが水素原子となることはない。）ことを特徴とする前記＜１３＞に記載の発光素子である。
＜１５＞  前記Ｒ23が、炭素数１〜１０の無置換のアルキル基を表すことを特徴とする前記＜１３＞又は＜１４＞に記載の発光素子である。
＜１６＞  前記Ｒ23で表される炭素数１〜１０の無置換のアルキル基が、メチル基であることを特徴とする前記＜１５＞に記載の発光素子である。
＜１７＞  前記Ｒ25が、炭素数１〜１０の無置換のアルキル基を表すことを特徴とする前記＜１３＞又は＜１４＞に記載の発光素子である。
＜１８＞  前記Ｒ25で表される炭素数１〜１０の無置換のアルキル基が、メチル基であることを特徴とする前記＜１７＞に記載の発光素子である。
【手続補正７】
【補正対象書類名】明細書
【補正対象項目名】００１０
【補正方法】変更
【補正の内容】
【００１０】
＜１９＞  前記一般式Ｋ−０で表される部分構造を有する化合物を含有する有機化合物層が、塗布プロセスで成膜されている前記＜１＞から＜１８＞のいずれかに記載の発光素子である。
＜２０＞  発光極大波長λｍａｘが３９０ｎｍ以上４９５ｎｍ以下である前記＜１＞から＜１９＞のいずれかに記載の発光素子である。
【手続補正８】
【補正対象書類名】明細書
【補正対象項目名】００１１
【補正方法】変更
【補正の内容】
【００１１】
＜２１＞  下記一般式Ｋ−０で表される部分構造を有する化合物（但し、前記化合物（Ａ）、（Ｂ）、（Ｃ）、（Ｄ）、及び（Ｅ）は除く。）である発光素子材料である。
【化５】
2009246373.tif 000005
（一般式Ｋ−０中、Ｒ1〜Ｒ7は各々独立に、水素原子または置換基を表す。但し、Ｒ2がフッ素原子の場合は、Ｒ3は水素原子であることはない。）
＜２２＞  前記一般式Ｋ−０において、Ｒ4が水素原子又は無置換のアルキル基を表し、Ｒ6が水素原子又は無置換のアルキル基を表し、Ｒ7が水素原子を表す（但し、Ｒ4〜Ｒ7の全てが水素原子となることはない。）ことを特徴とする前記＜２１＞に記載の発光素子材料である。
＜２３＞  前記Ｒ4が、炭素数１〜１０の無置換のアルキル基を表すことを特徴とする前記＜２１＞又は＜２２＞に記載の発光素子材料である。
＜２４＞  前記Ｒ4で表される炭素数１〜１０の無置換のアルキル基が、メチル基であることを特徴とする前記＜２３＞に記載の発光素子材料である。
＜２５＞  前記Ｒ6が、炭素数１〜１０の無置換のアルキル基を表すことを特徴とする前記＜２１＞又は＜２２＞に記載の発光素子材料である。
＜２６＞  前記Ｒ6表される炭素数１〜１０の無置換のアルキル基が、メチル基であることを特徴とする前記＜２５＞に記載の発光素子材料である。
【手続補正９】
【補正対象書類名】明細書
【補正対象項目名】００１２
【補正方法】変更
【補正の内容】
【００１２】
＜２７＞  下記一般式Ｋ−０で表される部分構造を有する化合物が、下記一般式Ｋ−Ｉで表される部分構造を有する化合物である前記＜２１＞に記載の発光素子材料である。
【化６】
2009246373.tif 000006
（一般式Ｋ−Ｉ中、Ｒ11〜Ｒ16は各々独立に、水素原子または置換基を表す。）
＜２８＞  前記一般式Ｋ−Ｉにおいて、Ｒ13が水素原子又は無置換のアルキル基を表し、Ｒ15が水素原子又は無置換のアルキル基を表し、前記Ｒ16が水素原子を表す（但し、Ｒ13〜Ｒ16の全てが水素原子となることはない。）ことを特徴とする前記＜２７＞に記載の発光素子材料である。
＜２９＞  前記Ｒ13が、炭素数１〜１０の無置換のアルキル基を表すことを特徴とする前記＜２７＞又は＜２８＞に記載の発光素子材料である。
＜３０＞  前記Ｒ13で表される炭素数１〜１０の無置換のアルキル基が、メチル基であることを特徴とする前記＜２９＞に記載の発光素子材料である。
＜３１＞  前記Ｒ15が、炭素数１〜１０の無置換のアルキル基表すことを特徴とする前記＜２７＞又は＜２８＞に記載の発光素子である。
＜３２＞  前記Ｒ15表される炭素数１〜１０の無置換のアルキル基が、メチル基であることを特徴とする前記＜３１＞に記載の発光素子材料である。
【手続補正１０】
【補正対象書類名】明細書
【補正対象項目名】００１３
【補正方法】変更
【補正の内容】
【００１３】
＜３３＞  下記一般式Ｋ−IIで表されることを特徴とするイリジウム錯体である（但し、前記化合物（Ａ）、（Ｂ）、（Ｃ）、（Ｄ）、及び（Ｅ）は除く。）。
【化７】
2009246373.tif 000007
（一般式Ｋ−II中、Ｒ21〜Ｒ26は各々独立に、水素原子または置換基を表す。Ｌ21は配位子を表す。ｎ21は１〜３の整数を表し、ｎ22は０〜４の整数を表す。）
＜３４＞  前記一般式Ｋ−IIにおいて、Ｌ21がジケトン配位子を表し、ｎ21が１又は２の整数を表し、ｎ22が０又は１の整数を表す前記＜３３＞に記載のイリジウム錯体である。
＜３５＞  前記一般式Ｋ−IIにおいて、Ｒ23が水素原子又は無置換のアルキル基を表し、前記Ｒ25が水素原子又は無置換のアルキル基を表し、前記Ｒ26が水素原子を表す（但し、前記Ｒ23〜Ｒ26の全てが水素原子となることはない。）ことを特徴とする前記＜３３＞又は＜３４＞に記載のイリジウム錯体である。
＜３６＞  前記Ｒ23が、炭素数１〜１０の無置換のアルキル基を表すことを特徴とする前記＜３３＞から＜３４＞のいずれか１項に記載のイリジウム錯体である。
＜３７＞  前記Ｒ23で表される炭素数１〜１０の無置換のアルキル基が、メチル基であることを特徴とする前記＜３６＞に記載のイリジウム錯体である。
＜３８＞  前記Ｒ25が、炭素数１〜１０の無置換のアルキル基を表すことを特徴とする前記＜３３＞から＜３４＞のいずれか１項に記載のイリジウム錯体である。
＜３９＞  前記Ｒ25で表される炭素数１〜１０の無置換のアルキル基が、メチル基であることを特徴とする前記＜３８＞に記載のイリジウム錯体である。
＜４０＞  前記＜３３＞から＜３９＞のいずれか１項に記載のイリジウム錯体であることを特徴とする発光素子材料である。
＜４１＞  前記＜２１＞から＜３２＞のいずれか１項に記載の発光素子材料、又は前記＜４０＞に記載の発光素子材料を含有することを特徴とする発光層である。
【手続補正１１】
【補正対象書類名】明細書
【補正対象項目名】００５１
【補正方法】変更
【補正の内容】
【００５１】
以下に、前記一般式Ｋ−０で表される部分構造を有するイリジウム化合物の化合物例を示すが、本発明はこれらに限定されるものではない。
【手続補正１２】
【補正対象書類名】明細書
【補正対象項目名】００５２
【補正方法】変更
【補正の内容】
【００５２】
【化８】
2009246373.tif 000008
【手続補正１３】
【補正対象書類名】明細書
【補正対象項目名】００５４
【補正方法】変更
【補正の内容】
【００５４】
【化１０】
2009246373.tif 000009
【手続補正１４】
【補正対象書類名】明細書
【補正対象項目名】００９１
【補正方法】変更
【補正の内容】
【００９１】
［参考例１］
比較例１において、化合物Ｂの代わりに化合物例Ｋ−１を使用し、比較例１と同様に有機ＥＬ素子を作製し、評価した。その結果、発光極大波長λｍａｘが４８６ｎｍ、ＣＩＥ色度値（ｘ，ｙ）＝（０．１８，０．４９）である青色発光が得られ、外部量子効率は５．８％であった。
【手続補正１５】
【補正対象書類名】明細書
【補正対象項目名】００９２
【補正方法】変更
【補正の内容】
【００９２】
［参考例２］
比較例１において、化合物Ｂの代わりに化合物例Ｋ−１を使用し、化合物Ａの代わりに化合物Ｄを用い、比較例１と同様に有機ＥＬ素子を作製し、評価した。その結果、発光極大波長λｍａｘが４８７ｎｍ、ＣＩＥ色度値（ｘ，ｙ）＝（０．２２，０．５３）である青色発光が得られ、外部量子効率は１０．５％であった。
【手続補正１６】
【補正対象書類名】明細書
【補正対象項目名】００９４
【補正方法】変更
【補正の内容】
【００９４】
［参考例３］
洗浄したＩＴＯ基板を蒸着装置に入れ、ＴＰＤ（Ｎ，Ｎ’−ジフェニル−Ｎ，Ｎ’−ジ（ｍ−トリル）−ベンジジン）を５０ｎｍ蒸着し、その上に化合物例Ｋ−１および上記化合物Ｄを（質量比１：１７）の比率で３６ｎｍ共蒸着し、さらにその上に、上記化合物Ｇを３６ｎｍ蒸着し、有機薄膜を形成した。この有機薄膜上にパターニングしたマスク（発光面積が４ｍｍ×５ｍｍとなるマスク）を設置し、蒸着装置内でフッ化リチウムを３ｎｍ蒸着した後、アルミニウムを４０ｎｍ蒸着し、有機ＥＬ素子を作製した。その結果、発光極大波長λｍａｘが４８５ｎｍ、ＣＩＥ色度値（ｘ，ｙ）＝（０．１９，０．５１）である青色発光が得られ、外部量子効率は１９．１％であった。
【手続補正１７】
【補正対象書類名】明細書
【補正対象項目名】００９６
【補正方法】変更
【補正の内容】
【００９６】
［実施例１］
参考例３において、化合物例Ｋ−１の代わりに化合物例Ｋ−３を用い、参考例３と同様に有機ＥＬ素子を作製し、評価した。その結果、発光極大波長λｍａｘが４７３ｎｍ、ＣＩＥ色度値（ｘ，ｙ）＝（０．１５，０．３７） の青色発光が得られ、外部量子効率は１２．９％であった。
【手続補正１８】
【補正対象書類名】明細書
【補正対象項目名】００９７
【補正方法】変更
【補正の内容】
【００９７】
［実施例２］
参考例３において、化合物例Ｋ−１の代わりに化合物例Ｋ−９を用い、参考例３と同様に有機ＥＬ素子を作製し、評価した。その結果、発光極大波長λｍａｘが４８０ｎｍ、ＣＩＥ色度値（ｘ，ｙ）＝（０．２０，０．５２）の青色発光が得られ、外部量子効率は１１．４％であった。
【手続補正１９】
【補正対象書類名】特許請求の範囲
【補正対象項目名】全文
【補正方法】変更
【補正の内容】
【特許請求の範囲】
【請求項１】
一対の電極間に、発光層もしくは発光層を含む複数の有機化合物層を有する発光素子において、これらの層の少なくとも一層に、下記一般式Ｋ−０で表される部分構造を有する化合物（但し、下記に示す化合物（Ａ）、（Ｂ）、（Ｃ）、（Ｄ）、及び（Ｅ）は除く。）を少なくとも一種含むことを特徴とする発光素子。
【化１】
2009246373.tif 000010
（一般式Ｋ−０中、Ｒ1〜Ｒ7は各々独立に、水素原子または置換基を表す。但し、Ｒ2がフッ素原子の場合は、Ｒ3は水素原子であることはない。）
【化２】
2009246373.tif 000011
【請求項２】
前記一般式Ｋ−０において、Ｒ4が水素原子又は無置換のアルキル基を表し、Ｒ6が水素原子又は無置換のアルキル基を表し、Ｒ7が水素原子を表す（但し、Ｒ4〜Ｒ7の全てが水素原子となることはない。）ことを特徴とする請求項１に記載の発光素子。
【請求項３】
前記Ｒ4が、炭素数１〜１０の無置換のアルキル基を表すことを特徴とする請求項１又は請求項２に記載の発光素子。
【請求項４】
前記Ｒ4で表される炭素数１〜１０の無置換のアルキル基が、メチル基であることを特徴とする請求項３に記載の発光素子。
【請求項５】
前記Ｒ6が、炭素数１〜１０の無置換のアルキル基を表すことを特徴とする請求項１又は請求項２に記載の発光素子。
【請求項６】
前記Ｒ6で表される炭素数１〜１０の無置換のアルキル基が、メチル基であることを特徴とする請求項５に記載の発光素子。
【請求項７】
前記一般式Ｋ−０で表される部分構造を有する化合物が、下記一般式Ｋ−Ｉで表される部分構造を有する化合物である請求項１に記載の発光素子。
【化３】
2009246373.tif 000012
（一般式Ｋ−Ｉ中、Ｒ11〜Ｒ16は各々独立に、水素原子または置換基を表す。）
【請求項８】
前記一般式Ｋ−Ｉにおいて、Ｒ13が水素原子又は無置換のアルキル基を表し、Ｒ15が水素原子又は無置換のアルキル基を表し、Ｒ16が水素原子を表す（但し、Ｒ13〜Ｒ16の全てが水素原子となることはない。）ことを特徴とする請求項７に記載の発光素子。
【請求項９】
前記Ｒ13が、炭素数１〜１０の無置換のアルキル基を表すことを特徴とする請求項７又は請求項８に記載の発光素子。
【請求項１０】
前記Ｒ13で表される炭素数１〜１０の無置換のアルキル基が、メチル基であることを特徴とする請求項９に記載の発光素子。
【請求項１１】
前記Ｒ15が、炭素数１〜１０の無置換のアルキル基を表すことを特徴とする請求項７又は請求項８に記載の発光素子。
【請求項１２】
前記Ｒ15表される炭素数１〜１０の無置換のアルキル基が、メチル基であることを特徴とする請求項１１に記載の発光素子。
【請求項１３】
前記一般式Ｋ−Ｉで表される部分構造を有する化合物が、下記一般式Ｋ−IIで表されるイリジウム錯体である請求項７に記載の発光素子。
【化４】
2009246373.tif 000013
（一般式Ｋ−II中、Ｒ21〜Ｒ26は各々独立に、水素原子または置換基を表す。Ｌ21は配位子を表す。ｎ21は１〜３の整数を表し、ｎ22は０〜４の整数を表す。）
【請求項１４】
前記一般式Ｋ−IIにおいて、Ｒ23が水素原子又は無置換のアルキル基を表し、Ｒ25が水素原子又は無置換のアルキル基を表し、Ｒ26が水素原子を表す（但し、Ｒ23〜Ｒ26の全てが水素原子となることはない。）ことを特徴とする請求項１３に記載の発光素子。
【請求項１５】
前記Ｒ23が、炭素数１〜１０の無置換のアルキル基を表すことを特徴とする請求項１３又は請求項１４に記載の発光素子。
【請求項１６】
前記Ｒ23で表される炭素数１〜１０の無置換のアルキル基が、メチル基であることを特徴とする請求項１５に記載の発光素子。
【請求項１７】
前記Ｒ25が、炭素数１〜１０の無置換のアルキル基を表すことを特徴とする請求項１３又は請求項１４に記載の発光素子。
【請求項１８】
前記Ｒ25で表される炭素数１〜１０の無置換のアルキル基が、メチル基であることを特徴とする請求項１７に記載の発光素子。
【請求項１９】
前記一般式Ｋ−０で表される部分構造を有する化合物を含有する有機化合物層が、塗布プロセスで成膜されている請求項１から請求項１８のいずれか１項に記載の発光素子。
【請求項２０】
発光極大波長λｍａｘが３９０ｎｍ以上４９５ｎｍ以下である請求項１から請求項１９のいずれか１項に記載の発光素子。
【請求項２１】
下記一般式Ｋ−０で表される部分構造を有する化合物（但し、下記に示す化合物（Ａ）、（Ｂ）、（Ｃ）、（Ｄ）、及び（Ｅ）は除く。）である発光素子材料。
【化５】
2009246373.tif 000014
（一般式Ｋ−０中、Ｒ1〜Ｒ7は各々独立に、水素原子または置換基を表す。但し、Ｒ2がフッ素原子の場合は、Ｒ3は水素原子であることはない。）
【化６】
2009246373.tif 000015
【請求項２２】
前記一般式Ｋ−０において、Ｒ4が水素原子又は無置換のアルキル基を表し、Ｒ6が水素原子又は無置換のアルキル基を表し、Ｒ7が水素原子を表す（但し、Ｒ4〜Ｒ7の全てが水素原子となることはない。）ことを特徴とする請求項２１に記載の発光素子材料。
【請求項２３】
前記Ｒ4が、炭素数１〜１０の無置換のアルキル基を表すことを特徴とする請求項２１又は請求項２２に記載の発光素子材料。
【請求項２４】
前記Ｒ4で表される炭素数１〜１０の無置換のアルキル基が、メチル基であることを特徴とする請求項２３に記載の発光素子材料。
【請求項２５】
前記Ｒ6が、炭素数１〜１０の無置換のアルキル基を表すことを特徴とする請求項２１又は請求項２２に記載の発光素子材料。
【請求項２６】
前記Ｒ6表される炭素数１〜１０の無置換のアルキル基が、メチル基であることを特徴とする請求項２５に記載の発光素子材料。
【請求項２７】
下記一般式Ｋ−０で表される部分構造を有する化合物が、下記一般式Ｋ−Ｉで表される部分構造を有する化合物である請求項２１に記載の発光素子材料。
【化７】
2009246373.tif 000016
（一般式Ｋ−Ｉ中、Ｒ11〜Ｒ16は各々独立に、水素原子または置換基を表す。）
【請求項２８】
前記一般式Ｋ−Ｉにおいて、Ｒ13が水素原子又は無置換のアルキル基を表し、Ｒ15が水素原子又は無置換のアルキル基を表し、前記Ｒ16が水素原子を表す（但し、Ｒ13〜Ｒ16の全てが水素原子となることはない。）ことを特徴とする請求項２７に記載の発光素子材料。
【請求項２９】
前記Ｒ13が、炭素数１〜１０の無置換のアルキル基を表すことを特徴とする請求項２７又は請求項２８に記載の発光素子材料子。
【請求項３０】
前記Ｒ13で表される炭素数１〜１０の無置換のアルキル基が、メチル基であることを特徴とする請求項２９に記載の発光素子材料。
【請求項３１】
前記Ｒ15が、炭素数１〜１０の無置換のアルキル基表すことを特徴とする請求項２７又は請求項２８に記載の発光素子。
【請求項３２】
前記Ｒ15表される炭素数１〜１０の無置換のアルキル基が、メチル基であることを特徴とする請求項３１に記載の発光素子材料。
【請求項３３】
下記一般式Ｋ−IIで表されることを特徴とするイリジウム錯体（但し、下記に示す化合物（Ａ）、（Ｂ）、（Ｃ）、（Ｄ）、及び（Ｅ）は除く。）。
【化８】
2009246373.tif 000017
（一般式Ｋ−II中、Ｒ21〜Ｒ26は各々独立に、水素原子または置換基を表す。Ｌ21は配位子を表す。ｎ21は１〜３の整数を表し、ｎ22は０〜４の整数を表す。）
【化９】
2009246373.tif 000018
【請求項３４】
前記一般式Ｋ−IIにおいて、Ｌ21がジケトン配位子を表し、ｎ21が１又は２の整数を表し、ｎ22が０又は１の整数を表す請求項３３に記載のイリジウム錯体。
【請求項３５】
前記一般式Ｋ−IIにおいて、Ｒ23が水素原子又は無置換のアルキル基を表し、前記Ｒ25が水素原子又は無置換のアルキル基を表し、前記Ｒ26が水素原子を表す（但し、前記Ｒ23〜Ｒ26の全てが水素原子となることはない。）ことを特徴とする請求項３３又は請求項３４に記載のイリジウム錯体。
【請求項３６】
前記Ｒ23が、炭素数１〜１０の無置換のアルキル基を表すことを特徴とする請求項３３から請求項３４のいずれか１項に記載のイリジウム錯体。
【請求項３７】
前記Ｒ23で表される炭素数１〜１０の無置換のアルキル基が、メチル基であることを特徴とする請求項３６に記載のイリジウム錯体。
【請求項３８】
前記Ｒ25が、炭素数１〜１０の無置換のアルキル基を表すことを特徴とする請求項３３から請求項３４のいずれか１項に記載のイリジウム錯体。
【請求項３９】
前記Ｒ25で表される炭素数１〜１０の無置換のアルキル基が、メチル基であることを特徴とする請求項３８に記載のイリジウム錯体。
【請求項４０】
請求項３３から請求項３９のいずれか１項に記載のイリジウム錯体であることを特徴とする発光素子材料。
【請求項４１】
請求項２１から請求項３２のいずれか１項に記載の発光素子材料、又は請求項４０に記載の発光素子材料を含有することを特徴とする発光層。